(57)【特許請求の範囲】
【請求項１】
強磁性金属製の内管と外管との離隔距離を求める際、内管内壁周囲複数箇所に渡って磁化すると共に漏洩磁束値を測定し、前記内管と外管との位置関係における漏洩磁束値の最大値および最小値を求めて最大値と最小値との差分を求め、予め知られた前記内管と外管との位置関係に対応する近接距離−漏洩磁束値のグラフに基づき、前記内管と外管とが同心円状の位置関係にある際の漏洩磁束値に対応する近接距離を基準として、この基準にかかる近接距離両側、等間隔の位置における漏洩磁束値の差が前記最大値と最小値との差分になるように前記位置を決定することで、二重管の最近接距離、最遠隔距離を求めるようにすることを特徴とする二重管の近接距離測定方法。
【発明の詳細な説明】
【０００１】
【産業上の利用分野】
本発明は、強磁性金属製の二重管の近接距離を漏洩磁束法に基づいて求める際、最大漏洩磁束値と最小漏洩磁束値とを求めてその差をとり、差をパラメータとして予め知られた近接距離−漏洩磁束値のグラフを用いて二重管の最近接距離を求めるようにした、二重管の近接距離測定方法に関するものである。
【０００２】
【従来の技術】
近年、地中にガス用導管を敷設するには、地表から掘削して埋設する開削工法だけでなく、地表を掘ることができない箇所等、敷設環境の厳しいところでは、掘進機等による非開削工法が適用されている。かかる工法では、導管を、導管の内径に比較して大なる径の鞘管内に内蔵させて敷設するという、二重管構造を採用する場合がある。
前記導管は、鞘管と断面において中心を一致させた配置関係にあるのではなく、鞘管内において、導管外壁の上面と鞘管とのスペースに、ケーブル用管や、薬液等の注入用管を配設する関係上、導管の中心を鞘管の中心より下方に偏心するように設定されている。
かかる配置関係は、図４に示すようにこれら導管１、鞘管２は、鋼管であることから、導管内壁に所定箇所（Ａ〜Ｈ点）毎に、電磁石３を配置して導管１を磁化し、その場での漏洩磁束値を測定し、それぞれの漏洩磁束値データを用いて、既知の近接距離と漏洩磁束との関係のグラフに基づき、近接距離を導き出してきた（絶対値法）。
【０００３】
【発明が解決しようとする課題】
しかしながら、前述の方法では、導管１と鞘管２との最近接距離は直接求めることはできず、例えば、導管１に対応する円を図示して、この円の、磁化を行なった箇所に対応した円周上の点から、求められた近接距離に応じてプロットして、そのプロット点を結んで鞘管２に対応した円を描き、この円と前記導管１に対応する円とから、最近接距離を求めるしかなかった。
本発明は、このような課題を解決するためになされたものであって、強磁性金属製の二重管の近接距離を漏洩磁束法に基づいて求める際、最大漏洩磁束値と最小漏洩磁束値とを求めてその差をとり、差をパラメータとして予め知られた近接距離−漏洩磁束値のグラフを用いて二重管の最近接距離を求めるようにした、二重管の近接距離測定方法を提供することを目的とする。
【０００４】
【課題を解決するための手段】
前記した課題を解決するために、本発明は、強磁性金属製の内管と外管との離隔距離を求める際、内管内壁周囲複数箇所に渡って磁化すると共に漏洩磁束値を測定し、前記内管と外管との位置関係における漏洩磁束値の最大値および最小値を求めて最大値と最小値との差分を求め、予め知られた前記内管と外管との位置関係に対応する近接距離−漏洩磁束値のグラフに基づき、前記内管と外管とが同心円状の位置関係にある際の漏洩磁束値に対応する近接距離を基準として、この基準にかかる近接距離両側、等間隔の位置における漏洩磁束値の差が前記最大値と最小値との差分になるように前記位置を決定することで、二重管の最近接距離、最遠隔距離を求めるようにすることを特徴とする。
【０００５】
【作用】
内管周方向に渡って磁化していくと共に、それらの箇所における漏洩磁束値を測定し、それら漏洩磁束値の最大値および最小値を取り出すと共に最大値および最小値の差分を求め、予め知られた前記内管と外管との位置関係に対応する漏洩磁束値−近接距離のグラフに基づき、前記内管と外管とが同心円状の位置関係にある際の漏洩磁束値に対応する近接距離を基準として、左右双方に等間隔の位置における漏洩磁束値の差が、前記漏洩磁束値の最大値および最小値の差となるようにする。その際の近接距離軸上の中央点左側の位置が、最近接距離を示すこととなる。
【０００６】
【実施例】
次に、本発明にかかる二重管の近接距離測定方法を実施するための装置の一例を図示し、以下詳細に説明する。
図１に二重管の模式的な断面図を示す。この二重管は、内管として例えば地中に埋設されるガス用の導管１０、外管として導管１０の内径に比較して大なる径の鞘管１１を示している。
前記導管１０の内壁には、電磁石１２が周方向に渡って、図示しない移動支持機構によって移動可能に装着されている。
すなわち、かかる導管１０および鞘管１１は、鋼管であり、前記電磁石１２によって磁化されるようになっている。
【０００７】
以上のような導管１０および鞘管１１において、図２に示すように、既知の管径の導管１０と鞘管１１との組合せであって、異なる肉厚の導管１０と鞘管１１の組合せに対する近接距離−漏洩磁束値のグラフが周知のデータとして提供されている。これらグラフ１、グラフ２、グラフ３は、それぞれ同じ管径で肉厚の異なる導管１０および鞘管１１の組合せに対応した近接距離−漏洩磁束値を示している。この場合、肉厚が異なることから、同じ近接距離では異なる漏洩磁束値を示すだけで、略同一の特性（立上り、勾配等）を示している。
更にいえば図２は、上記のような導管１０および鞘管１１とが、互いの中心が一致する同心円の位置関係にある状態から、導管１０と鞘管１１とがある箇所で接触状態となるまで、前記導管１０をずらしたときに取り得る漏洩磁束値をプロットしたものである。上記図２では、それぞれのグラフに於ける最小漏洩磁束値は、導管１０と鞘管１１とが互いに接触したところであり（近接距離＝０）、このとき、他方の位置で最大離隔距離（最大近接距離）をとって、最大漏洩磁束値を示している。
【０００８】
次に、かかる導管１０および鞘管１１において、最近接距離を求める手順を説明する。
導管１０内壁周方向に電磁石１２を移動支持機構によって移動装着すると共に、順次磁化するべく電磁石１２に通電する。そして、それぞれ内壁における漏洩磁束値を、ガウスメータ（図示省略）によって測定する。
次いで、それら測定箇所における漏洩磁束値から、最大漏洩磁束値ＢHおよび最小漏洩磁束値ＢLを取り出して、これら最大漏洩磁束値ＢHおよび最小漏洩磁束値ＢLの差分ΔＢを求める。
次に、予め与えられているその導管１０および鞘管１１における複数の漏洩磁束値−近接距離のグラフ（図２参照）から、任意のグラフを使用する（図３参照）。なお、前記複数の漏洩磁束値−近接距離のグラフは、漏洩磁束値の違いだけで、略同一の特性（立上り、勾配等）を示しているので、いずれのグラフを用いてもよい。
ところで、前記差分ΔＢが最小値（０）、すなわち（最大漏洩磁束値ＢH−最小漏洩磁束値ＢL）＝０というのは、導管１０と鞘管１１とが互いの中心が一致する同心円の位置関係にあるときであり、前記差分ΔＢが最大となるのは、導管１０と鞘管１１とがある箇所で接触した位置関係にあるときであるから、最大漏洩磁束値ＢHおよび最小漏洩磁束値ＢLの差分ΔＢは、導管１０と鞘管１１とが互いの中心が一致する同心円の位置関係からある距離ずれた位置関係にあるときの差分ΔＢを意味していることがわかる（図１参照）。
そこで、前記同心円の位置関係にあるときの近接距離を中央点Ｏとし、左右双方に等間隔の位置α点、β点を取り、かかるα点における漏洩磁束値と、β点における漏洩磁束値との差が、前記最大漏洩磁束値ＢHおよび最小漏洩磁束値ＢLの差分ΔＢとなるようにする。その際の中央点Ｏ左側の位置α点は、最近接距離を示し、中央点Ｏ右側の位置β点は、最遠隔距離を示すこととなる。
このように、予め与えられている複数の漏洩磁束値−近接距離のグラフのいずれでも用いることができ、種々の測定条件、例えば導管および鞘管の管径や肉厚、さらには磁化装置、電磁石の磁化力等、測定に供するものの違いによって変動する漏洩磁束値の絶対値によるのではなく、最大漏洩磁束値ＢHおよび最小漏洩磁束値ＢLの差分ΔＢをパラメータとして適用して、最近接距離を求めるので、計測上の誤差を抑制することができる。
【０００９】
【発明の効果】
以上、本発明によれば、種々の測定条件によって変動する漏洩磁束値の絶対値によるのではなく、内管周方向に渡って漏洩磁束値を測定し、
それら漏洩磁束値の最大値および最小値を取り出して、これら最大値および最小値の差分を求め、予め知られた前記内管と外管との位置関係に対応する漏洩磁束値−近接距離のグラフに基づき、前記内管と外管とが同心円状の位置関係にある際の漏洩磁束値に対応する近接距離を基準として、左右双方に等間隔の位置における漏洩磁束値の差が、前記漏洩磁束値の最大値および最小値の差となるようにすることにより、最近接距離を求めるという手段を採用したので、計測上の誤差を抑制することができる。
【００１０】
【図面の簡単な説明】
【図１】本発明にかかる二重管の近接距離測定方法を実施する際における、二重管の模式的な断面説明図である。
【図２】本発明にかかる二重管の近接距離測定方法を適用する際の、予め知られている近接距離−漏洩磁束値のグラフである。
【図３】本発明にかかる二重管の近接距離測定方法を実施する手順を示した、近接距離−漏洩磁束値のグラフである。
【図４】漏洩磁束法による、実際の測定箇所と最近接位置とを示した二重管の模式的な断面説明図である。
【符号の説明】
１０                          導管
１１                          鞘管
１２                          電磁石
【図１】
0003547023.tif 000002
【図２】
0003547023.tif 000003
【図３】
0003547023.tif 000004
【図４】
0003547023.tif 000005